(57)【要約】【課題】毛髪の所謂サラサラ感を定量化して数値表示又は所定の表示を行うことができる毛髪測定装置を提供する。【解決手段】エアを供給するエア供給手段と、該エア供給手段から供給されるエアを毛髪に対して所定方向から流し得るエア流路と、該エア流路における毛髪より上流側のエアの流速又は圧力と下流側のエアの流速又は圧力とを各々検出する流速検出手段と、該流速検出手段で検出された上流側のエアの流速又は圧力と下流側のエアの流速又は圧力との差から流体抵抗を検出する流体抵抗検出手段と、該流体抵抗検出手段で検出された流体抵抗に基づいた数値表示を行うデジタル表示手段とを備えたものである。【選択図】  図１
2004305352.tif 000002
【特許請求の範囲】
【請求項１】
エアを供給するエア供給手段と、
該エア供給手段から供給されるエアを毛髪に対して所定方向から流し得るエア流路と、
該エア流路における毛髪より上流側のエアの流速又は圧力と下流側のエアの流速又は圧力とを各々検出する流速検出手段と、
該流速検出手段で検出された上流側のエアの流速又は圧力と下流側のエアの流速又は圧力との差から流体抵抗を検出する流体抵抗検出手段と、
該流体抵抗検出手段で検出された流体抵抗に基づいた数値表示又は所定の表示行う表示手段と、
を備えたことを特徴とする毛髪測定装置。
【請求項２】
前記エア流路が形成された略板状の第１部材と、該第１部材と当接又は離間可能な略板状の第２部材とを有し、前記エア流路の前記第２部材側が開口して成るとともに、前記第１部材と第２部材とが当接して毛髪を挟持させると、当該毛髪が前記エア流路の開口を塞いで、前記エア供給手段からのエアが当該エア流路に沿って流れるよう構成されたことを特徴とする請求項１記載の毛髪測定装置。
【請求項３】
前記エア流路は、前記第１部材内において螺旋状に形成され、前記第２部材側と対向した複数の部位に前記開口がそれぞれ形成されたことを特徴とする請求項２記載の毛髪測定装置。
【請求項４】
前記エア流路は、前記第１部材と第２部材とで挟持した毛髪の長手方向に対して所定角度傾斜しつつ螺旋状に形成されたことを特徴とする請求項３記載の毛髪測定装置。
【請求項５】
前記第１部材及び第２部材からそれぞれアーム部が延設され、該アーム部の基端で互いに回動自在に連結されて構成され、当該アーム部を把持しつつ前記連結した部位を回動させることにより、前記第１部材と第２部材との当接又は離間を行わせることを特徴とする請求項２〜請求項４のいずれか１つに記載の毛髪測定装置。
【請求項６】
前記エア流路は、少なくとも前記第１部材において複数に分岐し、それぞれのエア流路に前記流速検出手段が配設され、且つ、各エア流路の流体抵抗を前記流体抵抗検出手段にて検出したことを特徴とする請求項２〜請求項５のいずれか１つに記載の毛髪測定装置。
【発明の詳細な説明】
【０００１】
【発明の属する技術分野】
本発明は、毛髪の状態を検出して所謂サラサラ感を定量化しつつ数値表示し得る毛髪測定装置に関するものである。
【０００２】
【従来の技術】
毛髪は、微視的に観察すると、その外表面がキューティクルによって覆われていることが知られている。かかるキューティクルは、毛先に向かって鱗状に複数形成されており、健康的な毛髪であれば、毛髪の長手方向に沿った状態（長手方向に倒れた状態）が維持されて所謂サラサラした髪質となる一方、水分値の低下等によって毛髪の健康状態が悪化すると、キューティクルが毛髪の長手方向より側方に逆立ち、髪質が荒れた状態となる。
【０００３】
然るに、上記の如き毛髪の所謂サラサラ感は、毛髪の健康状態を知る上で重要であるにもかかわらず、従来、見た目或いは触った感触のみで判断され、水分値の如く客観的な定量化はされていないのが実情である。従って、請求項に係る発明と関連性を有する技術の蓄積がなく、記載すべき先行技術文献情報はない。
【０００４】
【発明が解決しようとする課題】
しかしながら、従来は、既述の如く、所謂サラサラ感を主観的な目視或いは感触でしか判断できなかったので、例えばサラサラした毛髪とすべき毛髪剤などを塗布した際、どの程度効果があるのかといった客観的判断が困難となっていた。また、同様に感じるサラサラ感のものであっても、そのサラサラ感の程度に応じた毛髪剤を塗布したい場合など、当該サラサラ感を定量化して客観的な評価を行いたいという要求が高まってきた。
【０００５】
本発明は、このような事情に鑑みてなされたもので、毛髪の所謂サラサラ感を定量化して数値表示又は所定の表示を行うことができる毛髪測定装置を提供することにある。
【０００６】
【課題を解決するための手段】
請求項１記載の発明は、エアを供給するエア供給手段と、該エア供給手段から供給されるエアを毛髪に対して所定方向から流し得るエア流路と、該エア流路における毛髪より上流側のエアの流速又は圧力と下流側のエアの流速又は圧力とを各々検出する流速検出手段と、該流速検出手段で検出された上流側のエアの流速又は圧力と下流側のエアの流速又は圧力との差から流体抵抗を検出する流体抵抗検出手段と、該流体抵抗検出手段で検出された流体抵抗に基づいた数値表示又は所定の表示を行う表示手段とを備えたことを特徴とする。
【０００７】
請求項２記載の発明は、請求項１記載の毛髪測定装置において、前記エア流路が形成された略板状の第１部材と、該第１部材と当接又は離間可能な略板状の第２部材とを有し、前記エア流路の前記第２部材側が開口して成るとともに、前記第１部材と第２部材とが当接して毛髪を挟持させると、当該毛髪が前記エア流路の開口を塞いで、前記エア供給手段からのエアが当該エア流路に沿って流れるよう構成されたことを特徴とする。
【０００８】
請求項３記載の発明は、請求項２記載の毛髪測定装置において、前記エア流路は、前記第１部材内において螺旋状に形成され、前記第２部材側と対向した複数の部位に前記開口がそれぞれ形成されたことを特徴とする。
【０００９】
請求項４記載の発明は、請求項３記載の毛髪測定装置において、前記エア流路は、前記第１部材と第２部材とで挟持した毛髪の長手方向に対して所定角度傾斜しつつ螺旋状に形成されたことを特徴とする。
【００１０】
請求項５記載の発明は、請求項２〜請求項４のいずれか１つに記載の毛髪測定装置において、前記第１部材及び第２部材からそれぞれアーム部が延設され、該アーム部の基端で互いに回動自在に連結されて構成され、当該アーム部を把持しつつ前記連結した部位を回動させることにより、前記第１部材と第２部材との当接又は離間を行わせることを特徴とする。
【００１１】
請求項６記載の発明は、請求項２〜請求項５のいずれか１つに記載の毛髪測定装置において、前記エア流路は、少なくとも前記第１部材において複数に分岐し、それぞれのエア流路に前記流速検出手段が配設され、且つ、各エア流路の流体抵抗を前記流体抵抗検出手段にて検出したことを特徴とする。
【００１２】
【発明の実施の形態】
以下、本発明の実施形態について図面を参照しながら具体的に説明する。
本実施形態に係る毛髪測定装置は、毛髪のサラサラ感を定量化して数値表示するものであって、図１に示すように、略板状の第１部材１及び第２部材２と、第１部材１から延設された第１アーム部３と、第２部材２から延設された第２アーム部４と、これら第１アーム部３及び第２アーム部４の基端で互いに回動自在に連結した連結部５とから主に外観が構成されている。
【００１３】
そして、第１アーム部３と第２アーム部４とに跨って把持しつつ連結部５を中心に当該第１アーム部３及び第２アーム部４を同図矢印方向へ回動させると、第１部材１と第２部材２とが当接して、それらの表面同士が接触し得るよう構成されている。尚、連結部５には、第１アーム部３と第２アーム部４とを離間させる方向に付勢させたスプリングなどの付勢手段（不図示）が配設されており、両アーム部へ付与した力を緩めると、第１部材１と第２部材２とが自然と離間するようになっている。
【００１４】
また、連結部５には、図示しないエア供給手段と連結した供給チューブ６が連結されており、該供給チューブ６内を流れたエアは、第１アーム部３内に延設されたチューブＣを介して第１部材１に供給されるよう構成されている。更に、第２アーム部４の上面には、デジタル表示手段７が形成されており、検出した毛髪のサラサラ感を数値として表示し得るようになっている。尚、図１における符号Ｄは、不図示の電源と接続されたコードを示しており、毛髪測定装置に対して電力が供給され得るようになっている。
【００１５】
ここで、第１部材１には、図２に示すように、チューブＣと連結される導入口９が形成されるとともに、該導入口９から延設されつつ分岐部Ｂにて分岐された第１エア流路８ａ及び第２エア流路８ｂが配設されている。これら第１エア流路８ａ及び第２エア流路８ｂは、それぞれ螺旋状に形成されており、第２部材２側と対向した複数の部位（同図中螺旋部における上部の上方を向いた部位）に開口８ａａ、８ｂａがそれぞれ形成されている。
【００１６】
また、第１エア流路８ａ及び第２エア流路８ｂの各先端は、第１部材１の側面に形成された第１吐出口１０ａ及び第２吐出口１０ｂに接続されており、各エア流路８ａ、８ｂを流れたエアが外部に排出され得るようになっている。更に、同図に示すように、エア流路における分岐部Ｂより上流側に上流側流速検出手段１１が配設されるとともに、第１エア流路８ａの第１吐出口１０ａ近傍、及び第２エア流路８ｂの第２吐出口１０ｂ近傍には、それぞれ下流側第１流速検出手段１２及び下流側第２流速検出手段１３が配設されている。これにより、エア流路における毛髪Ｍより上流側のエアの流速と下流側のエアの流速とを各々検出することができる。
【００１７】
これら上流側流速検出手段１１、下流側第１流速検出手段１２及び下流側流速検出手段１３として、熱線式流速計を用いるのが好ましい。かかる汎用的な熱線式流速計を用いれば、小型で且つ安価なものを使用することができ、毛髪測定装置への組み込みに好適であるが、エアの流速を検出し得れば、他の形態の流速検出手段を用いてもよい。
【００１８】
ところで、第１部材１を上部から見ると、図３で示したように、開口８ａａの列と開口８ｂａの列とがそれぞれ形成されており、同図中矢印で示した方向にエアが流れるようになっている。但し、開口８ａａ及び８ｂａが開放した状態においては、エアが抜けてしまうので、使用時においては、第１部材１の上面と第２部材２の下面とを当接させ、その間に毛髪Ｍを介在させて挟持することにより、図５で示すように、該毛髪Ｍにて各エア流路８ａ、８ｂの開口８ａａ及び８ｂａを塞いで、エア供給手段からのエアが当該エア流路８ａ、８ｂに沿って流れるよう構成されている。
【００１９】
尚、同図に示すように、第１エア流路８ａ及び第２エア流路８ｂは、第１部材１と第２部材２とで挟持した毛髪Ｍの長手方向に対して所定角度傾斜しつつ螺旋状に形成されている。これにより、毛髪Ｍの長手方向と同一方向にエア流路８ａ又は８ｂが形成されたものに比べ、毛髪を確実に押圧することができ、サラサラ感の検出の間、当該毛髪を確実に保持することができる。
【００２０】
また、第１アーム部３又は第２アーム部４のいずれか一方の内部には、上流側流速検出手段１１で検出された上流側のエアの流速と、下流側第１流速検出手段１２及び下流側第２流速検出手段１３のそれぞれで検出されたエアの流速との差から、第１エア流路８ａ及び第２エア流路８ｂを流れたエアの流体抵抗を検出するための流体抵抗検出手段１４が配設されている。
【００２１】
該流体抵抗検出手段１４は、例えばマイコン等から成り、図４で示すように、上流側流速検出手段１１、下流側第１流速検出手段１２、及び下流側第２流速検出手段１３とそれぞれ電気的に接続されているとともに、デジタル表示手段７とも電気的に接続されている。そして、上述の如く、上流側流速検出手段１１と下流側第１流速検出手段１２、及び上流側流速検出手段１１と下流側第２流速検出手段１２で検出されたエアの流速が電気信号として流体抵抗検出手段１４に送信され、該流体抵抗検出手段１４にて流体抵抗を演算することにより検出し得るようになっている。
【００２２】
しかして、流体抵抗検出手段１４にて検出された流体抵抗に基づいた数値が電気信号としてデジタル表示手段７に送信され、該デジタル表示手段７にてサラサラ感を数値表示する。尚、本実施形態の如くサラサラ感を数値にて表示するのに限らず、複数のＬＥＤ等を配設しておき、サラサラ感に応じて当該ＬＥＤを点灯又は消灯させ得るよう構成してもよい。
【００２３】
また、本毛髪測定装置を外部のコンピュータシステム等とを接続し、上記の如く定量化された毛髪のサラサラ感を当該コンピュータシステムに送信するようにしてもよい。これにより、毛髪のサラサラ感をコンピュータシステムにてデータとして記憶することができ、カルテ等として活用することにより毛髪の履歴管理を行うことができる。
【００２４】
次に、上記構成の毛髪測定装置における作用について説明する。
第１アーム部３及び第２アーム部４を把持しつつ第１部材１及び第２部材２を当接させて毛髪Ｍを挟持させた状態とする。かかる状態において、エア供給手段からエアを供給すると、供給チューブ６及びチューブＣを介して第１エア流路８ａ及び第２エア流路８ｂのそれぞれにエアが流れる。
【００２５】
ここで、図６に示すように、毛髪Ｍの状態が悪く、そのキューティクルＭａが逆立っていると、エアの流路中に当該キューティクルＭａが突出した状態となるため、第１エア流路８ａ及び第２エア流路８ｂを流れるエアにおける流体抵抗が比較的大きくなる。具体的には、上流側流速検出手段１１の検出値と下流側第１流速検出手段１２又は下流側第２流速検出手段１３の検出値との差が大きくなって、流体抵抗検出手段１４にて検出される流体抵抗が大きな値を示す。
【００２６】
これに対し、図７に示すように、毛髪Ｍの状態が良好で、そのキューティクルＭａが当該毛髪Ｍの毛先方向に倒れていると、エアの流路中に当該キューティクルＭａがあまり突出しない状態となるため、第１エア流路８ａ及び第２エア流路８ｂを流れるエアにおける流体抵抗が比較的小さくなる。具体的には、上流側流速検出手段１１の検出値と下流側第１流速検出手段１２又は下流側第２流速検出手段１３の検出値との差が小さくなって、流体抵抗検出手段１４にて検出される流体抵抗が小さな値を示す。
【００２７】
上記の如く、毛髪ＭのキューティクルＭａの逆立ち具合が大きい程、流体抵抗検出手段１４にて検出される流体抵抗が大きな値を示し、反対に毛髪Ｍの長手方向に倒れている程、流体抵抗検出手段１４にて検出される流体抵抗が小さな値を示すこととなる。かかる流体抵抗を定量化して、デジタル表示手段７にて数値として表示することにより、毛髪Ｍのサラサラ感を客観的に評価することができる。
【００２８】
また、第１エア流路８ａ及び第２エア流路８ｂに形成された各開口８ａａ及び８ｂａを毛髪Ｍが塞ぐことにより、当該毛髪Ｍの側面がエア流路の一部を構成することとなるので、毛髪Ｍに対して流れるエアのキューティクルによる抵抗を確実に検出することができ、毛髪測定装置の信頼性を向上させることができる。また、第１部材１と第２部材２とで毛髪Ｍを挟持してサラサラ感を検出するので、簡単な操作とすることができる。
【００２９】
更に、第１エア流路８ａ及び第２エア流路８ｂが第１部材１内において螺旋状に形成され、第２部材２側と対向した複数の部位に開口８ａａ、８ｂａがそれぞれ形成されているので、流体抵抗を検出すべき開口の面積を大きくすることができ、より正確なサラサラ感の検出を行うことができる。
【００３０】
また更に、第１アーム部３及び第２アーム部４を把持しつつ、第１部材１と第２部材２との当接又は離間を行わせるので、サラサラ感の検出操作をより簡素化することができるとともに、毛髪測定装置全体を小型化することができ、持ち運びに便利である。また、エア流路が第１エア流路８ａ及び第２エア流路８ｂの２つに分岐し、それぞれのエア流路における流体抵抗を検出しているので、サラサラ感のより確実な検出を行うことができる。
【００３１】
以上、本実施形態に係る毛髪測定装置について説明したが、本発明はこれに限定されるものではなく、１本又は複数本の毛髪を抜き取り、かかる毛髪に対して所定方向からエアを流すとともに、毛髪より上流側のエアの流速と下流側のエアの流速との差から流体抵抗を検出してサラサラ感を定量化するようにしてもよい。
【００３２】
また、本実施形態においては、エア流路を第１エア流路８ａと第２エア流路８ｂの２本に分岐しているが、１本のエア流路を第１部材１に形成しつつ、そのエア流路に開口を形成してもよく、３本以上のエア流路を形成しつつ、それぞれのエア流路に開口を形成するようにしてもよい。更に、本実施形態の如く、毛髪Ｍの上流側と下流側とのエアの流速の差に基づいて流体抵抗を検出するものの他、上流側と下流側とのエアの圧力差に基づいて流体抵抗を検出するものとしてもよい。例えば、毛髪より上流側から定流量のエア（即ち、既知の圧力）を流し、下流側の圧力を測定することにより、流体抵抗を検出し、かかる流体抵抗に基づいた数値又は所定の表示を行って、毛髪のサラサラ感を定量化するようにしてもよい。
【００３３】
【発明の効果】
請求項１の発明によれば、エア流路を流れるエアが毛髪を介して流れる過程において、キューティクルの状態に応じて流体抵抗検出手段で検出されるべき流体抵抗が異なるので、表示手段にて表示される数値或いは所定の表示によって毛髪のサラサラ感を定量化することができる。
【００３４】
請求項２の発明によれば、エア流路の開口を毛髪が塞ぐことにより、当該毛髪の側面がエア流路の一部を構成することとなるので、毛髪に対して流れるエアのキューティクルによる抵抗を確実に検出することができ、毛髪測定装置の信頼性を向上させることができる。また、第１部材と第２部材とで毛髪を挟持してサラサラ感を検出するので、簡単な操作とすることができる。
【００３５】
請求項３の発明によれば、エア流路が第１部材内において螺旋状に形成され、第２部材側と対向した複数の部位に開口がそれぞれ形成されているので、流体抵抗を検出すべき開口の面積を大きくすることができ、より正確なサラサラ感の検出を行うことができる。
【００３６】
請求項４の発明によれば、エア流路は、第１部材と第２部材とで挟持した毛髪の長手方向に対して所定角度傾斜しつつ螺旋状に形成されているので、毛髪の長手方向と同一方向にエア流路が形成されたものに比べ、毛髪を確実に押圧することができ、サラサラ感の検出の間、当該毛髪を確実に保持することができる。
【００３７】
請求項５の発明によれば、アーム部を把持しつつ、これらアーム部同士の連結した部位を回動させることにより、第１部材と第２部材との当接又は離間を行わせるので、サラサラ感の検出操作をより簡素化することができるとともに、装置全体を小型化することができ、持ち運びに便利である。
【００３８】
請求項６の発明によれば、エア流路が複数に分岐し、それぞれのエア流路における流体抵抗を検出しているので、サラサラ感のより確実な検出を行うことができる。
【図面の簡単な説明】
【図１】本発明の実施形態に係る毛髪測定装置を示す斜視図
【図２】本発明の実施形態に係る毛髪測定装置における第１部材の内部を示す透視図
【図３】本発明の実施形態に係る毛髪測定装置における第１部材の上面に形成された開口８ａａ及び８ｂａ、及び毛髪を挟持した状態の第２部材を示す模式図
【図４】本発明の実施形態に係る毛髪測定装置における流体抵抗検出手段及びそれと電気的に接続された構成要素を示すブロック図
【図５】本発明の実施形態に係る毛髪測定装置におけるエア流路の開口を毛髪が塞いだ状態を示す模式図
【図６】本発明の実施形態に係る毛髪測定装置におけるエア流路の一部を構成する毛髪の状態（キューティクルが比較的逆立った状態）を示す模式図
【図７】本発明の実施形態に係る毛髪測定装置におけるエア流路の一部を構成する毛髪の状態（キューティクルが比較的毛髪の長手方向に倒れた状態）を示す模式図
【符号の説明】
１…第１部材
２…第２部材
３…第１アーム部
４…第２アーム部
５…連結部
６…供給チューブ
７…デジタル表示部
８ａ…第１エア流路
８ａａ…開口
８ｂ…第２エア流路
８ｂａ…開口
９…導入口
１０ａ…第１吐出口
１０ｂ…第２吐出口
１１…上流側流速検出手段
１２…下流側第１流速検出手段
１３…下流側第２流速検出手段
１４…流体抵抗検出手段
Ｍ…毛髪
Ｍａ…キューティクル
Ｃ…チューブ
Ｄ…コード
【図１】
2004305352.tif 000003
【図２】
2004305352.tif 000004
【図３】
2004305352.tif 000005
【図４】
2004305352.tif 000006
【図５】
2004305352.tif 000007
【図６】
2004305352.tif 000008
【図７】
2004305352.tif 000009